(57)【特許請求の範囲】
【請求項１】
２つ折り、または３つ折りに折り畳まれた紙葉体を相互に係合するように上下に重ね合わせた積層体の積層長側面が天面及び底面に対向するように収納され、この積層体から前記紙葉体を順次に略水平方向に引き出し可能なディスペンサーであって、前記積層体を収納する収納部と収納部を支持する三角棚受け部から構成され、前記収納部は、前記積層体の上面及び下面に平行な前面及び後面と、前記積層体の短側面に平行でかつ前記前面及び前記後面に垂直な２つの側面と、積層長側面に対向する底面及び天面を有し、前記前面には、前記紙葉体を引き出す為の取出し口を有し、前記天面には前記前面又は前記後面に繋がる蓋部を有し、前記三角棚受け部は、前記収納部の両側面の延長及び収納部の後面の延長で前記収容部と一体に形成され、前記側面は、前記後面下端から前記前面に向かって傾斜して立ち上がり、この傾斜角度は前記後面から３０〜４５度の角度で傾斜しており、さらに前記側面の幅が１００ｍｍ以下である紙葉体ディスペンサー。
【請求項２】
前記取出し口は収納部前面の中央部より0から20ｍｍ前記三角棚受け部側に位置している請求項１記載の紙葉体ディスペンサー。
【請求項３】
前記側面における前記三角棚受け部の後面から前面に至る傾斜が曲線状である請求項１又は２記載の紙葉体ディスペンサー。
【発明の詳細な説明】
【技術分野】
【０００１】
本発明は、ペーパータオル等の紙葉体を順次に引き出し可能な組立て式紙葉体ディスペンサーに関する。
【背景技術】
【０００２】
ペーパータオル等の紙葉体を相互に重ね合わせた積層体を収容し、紙葉体を順次に引き出すディスペンサーが広く用いられている。このようなディスペンサーとして、底壁の中央にペーパータオルの取出口を設け、さらにディスペンサーの前面及び後面から取出口に向かって傾斜する傾斜面を形成した技術が提案されている（特許文献１、２）。
【０００３】
又、底壁の中央にペーパータオルの取出口を設け、さらに底壁を後面に向かって傾斜させた技術が提案されている（特許文献３）。
【先行技術文献】
【特許文献】
【０００４】
【特許文献１】実公平1-130992号公報
【特許文献２】特開平5-269051号公報
【特許文献３】実公平6-9995号公報
【発明の概要】
【発明が解決しようとする課題】
【０００５】
しかしながら、上記したディスペンサーは店舗等の壁面にネジ止め等によって取り付けられるものであり、プラスチック製で堅牢であるが比較的重く、又、紙葉体の積層体を適宜補充する必要がある。従って、上記ディスペンサーは、家庭で使用しずらく、設置が容易でないと共に、紙葉体ごとパッキングして大量生産、大量販売するのに適していない。また、近年では、インフルエンザの流行などにより衛生への意識の高まりから使い捨て可能なハンドタオルディスペンサーへの要望が多くなっている。
【０００６】
すなわち、本発明は、軽量で、組立てと設置が容易で、家庭でも使用し易く、衛生的であると共に、紙葉体ごとパッキングして大量生産、大量販売することができる紙葉体ディスペンサーの提供を目的とする。
【課題を解決するための手段】
【０００７】
上記課題を解決するため、本発明の紙葉体ディスペンサーは、２つ折りあるいは、３つ折りに折り畳まれた紙葉体を相互に係合するように上下に重ね合わせた積層体が収納され、この積層体から前記紙葉体を順次に引き出し可能な組立て式ディスペンサーであって、当該ディスペンサーは、前記積層体を収納する方形状の収納部（Ａ）及び収納部両短側面の延長及び収納部後面の延長で形成する三角棚受け部（Ｂ）から構成される。前記（Ａ）には、収納部前面に紙葉を一枚づつ引き出す取出し口と、収納部長側面に紙葉体を詰替えする蓋部を有し、三角棚受け部（Ｂ）の先端を、収納部の後面を既存のタオル掛けの壁面に接するようにてタオル掛けの壁面と掛け棒の隙間に差込むことにより、前記収納部（Ａ）が既存のタオル掛けに固定される。収納部両短側面の延長及び収納部後面の延長で形成する三角棚受け部（Ｂ）の先端の傾斜角度は３０〜４５度が望ましい。前記側面の幅は１００ｍｍ以下であり、紙製または軽量プラスチック製の組立て式の紙葉体ディスペンサーである。
【０００８】
このように、（Ｂ）は所定の角度で傾斜しているので、タオル掛けと壁面との間に差し入れると、前記収納部前面の取出し口から紙葉体を引き出す際には、（Ｂ）がタオル掛け棒（バー）と壁面で押さえられ、紙葉体を引き出す力は（Ｂ）の傾斜部がタオル掛けのバーを押す力と、先端部が壁面を押す力に分散され、また、紙葉体ディスペンサーの重量によってタオル掛けに確実に係止することができる。又、側面の幅を１００ｍｍ以下とすることで、紙葉体ディスペンサーが壁面とタオル掛けとの間で落下せずに係止すると共に、紙葉体ディスペンサーがスリムとなって設置場所で邪魔にならない。又、軽量であるから詰替用の紙葉積層体とセットで陳列、販売ができる。
【０００９】
（Ａ）における前記取出し口は前記収納部前面の中央及び中央よりやや（Ｂ）に近い位置に位置していると好ましい。これは紙葉体を引き出す際の引き出し力のタオル掛け棒及び壁面に掛かるモーメントがより小さくなるからである。取出し口の位置は、中央部から（Ｂ）側に0-20ｍｍの位置が望ましく、20ｍｍより大きいと、積層紙葉の折り重なりが引き出し方向に対し浅くなりすぎて連続して紙葉体が引き出せないことがある。
【００１０】
（Ｂ）の傾斜部は曲線をなしてもよい。
【００１１】
このようにすると、意匠性が向上する。
【００１２】
（Ａ）の前記取出し口は前記収納部前面の両端より前記収納部前面の幅の２０〜３３％の間隔を開けて配置され、略中央部にスリットを有する樹脂フィルムが配置されていてもよい。このようにすると、ポリフィルム包装のない中味だけを紙葉積層体をそのまま収納しても収納部にホコリが入らず衛生的であり、中身の確認もし易い。
【発明の効果】
【００１３】
この発明によれば、軽量でしかも容易に組立てることができ、家庭用の従来のタオル掛けに設置することができ、紙葉体ごとパッキングして大量生産、大量販売することができる紙葉体ディスペンサーが得られる。
【図面の簡単な説明】
【００１４】
【図１】本発明の第１の実施形態に係る紙葉体ディスペンサーの斜視図である。
【図２】紙葉体ディスペンサーの側面断面図である。
【図３】紙葉体ディスペンサーをタオル掛けに係止した状態を示す斜視図である。
【図４】紙葉体ディスペンサーをタオル掛けに係止した状態を示す側面図である。
【図５】本発明の実施形態に係る紙葉体ディスペンサーの展開図である。
【図６】紙葉体ディスペンサーと紙葉積層体をセットにした包装の図である。
【発明を実施するための形態】
【００１５】
以下、本発明の実施形態について説明する。
【００１６】
図１は、本発明の実施形態に係る紙葉体ディスペンサー１００の斜視図である。紙葉体ディスペンサー１００は、１枚の板紙を折り曲げて概ね箱状に組立ててなり、自身の内部に複数の紙葉体を重ね合わせた積層体５０が収容されている。紙葉体ディスペンサー１００は、（Ａ）紙葉体収納部と（Ｂ）三角棚受け部で構成され積層体５０の長辺Ｌに平行で矩形の前面１１及び後面１２と、積層体５０の短辺Ｔに平行でかつ前面１１及び後面１２に垂直な２つの側面１３、１４と、これら前面１１、後面１２、及び側面１３，１４にそれぞれ垂直で積層体５０の積層長側面５０ｂに対向する開閉蓋面（天面）１５と、蓋面１５に対向する底面１６を有し、収納部前面（取出し口面）１１には紙葉体５１を引き出す取出し口２０を有している。側面１３、１４は台形状になっており、台形の上辺に相当する箇所が（Ａ）収納部の前面側であり台形の底辺に相当する箇所が（Ａ）から（Ｂ）につながる収納部後面側である。
【００１７】
前面１１と後面１２は対向し、前面１１の両側部に側面１３，１４がそれぞれ繋がっている。又、蓋面１５は、前面１１または、後面１２に繋がっている。同様に、収納部（Ａ）の前面の取出し口面１１は、側面１３、１４、底面１６にそれぞれ繋がっている。
【００１８】
紙葉体ディスペンサー１００としては、紙の他、ポリエチレン、ポリプロピレン等の汎用プラスチックを使用することができる。紙を用いる場合、坪量を３００〜５００g/m2とするのが軽量で数回の詰替くり返しの使用に耐えるので好ましい。
【００１９】
ここで、後面１２の側面１３、１４と交わる稜線１３ｃ，１４ｃの長さは前面１１の側面１３、１４と交わる稜線１３ｂ、１４ｂより長く、前面１１及び後面１２にそれぞれ繋がる側面１３、１４は、後面１２から前面１１に向かって立ち上がるように傾斜している。この傾斜は直線でも曲線でも良い。このとき、図２に示すように、側面１３及び１４において、後面から前面に傾斜する三角棚受け部（Ｂ）の角度（傾斜角）θは30〜45度に規定されている。
【００２０】
又、取出し口面１１の略中央部には略長円状の取出し口２０（切り抜き部）が設けられる。この開口を覆って中央には、長辺Ｌ方向に延びる１本のスリットＳを有するポリエチレンフィルム等の樹脂フィルム２１が貼付されても良い。
【００２１】
収納部（Ａ）の前面において、紙葉体の取出し口が、取出し口の外縁部と蓋面側からの距離Ｄ1、及び底面側からの距離Ｄ2の位置に設けてある。ここで、収納部（Ａ）の前面（取出し口面）１１の幅Ｍに対し、Ｄ１及びＤ２の長さがＤ1≦Ｄ2の関係を満たすことが好ましい。即ち２０の位置が中央部か、中央部よりやや底面側寄った位置、最大20ｍｍが望ましい。このようにすると、図４に示すように紙葉体ディスペンサー１００をタオル掛け２００に係止したとき、紙葉体を引き抜くときの力Ｆ0による２００aを支点とするモーメントが小さくなり、ディスペンサーの撓みが小さくなるので、より係止が安定する。20ｍｍを超えると、積層紙葉体の折り重なりが引き出し方向に対し浅くなりすぎて連続して紙葉体が引き出せないことがある。
【００２２】
図２は、紙葉体ディスペンサー１００の側面断面図である。積層体５０は、複数の紙葉体５１、５２、５３・・・を相互に係合するように左右に重ね合わせてなる。この例では、個々の紙葉体は２つ折り（Ｖ折り）されていて、取出し口２０から紙葉体５１、５２、５３・・・を順次にポップアップ式に又は連続して引き出すことができる。
【００２３】
紙葉体としては、紙又は不織布からなるティシュペーパー、ペーパータオル、トイレットペーパー等の使い捨て薄葉紙が例示されるがこれらに限られない。
【００２４】
又、紙葉体は２つ折り以上であればよいが、折り回数が増えると、シートの相互の係合面積が小さくなりシートの取出し性が損なわれる場合があることから３つ折り以下が好ましい。紙葉体を3つ折り以下に折りたたむことで紙葉体の積層嵩が小さくなり、紙葉体ディスペンサー１００の厚みを薄くできるので、より安定してタオル掛け等に紙葉体ディスペンサー１００を係止して設置できる。
【００２５】
図３は、紙葉体ディスペンサー１００をタオル掛け２００に係止した状態を示す斜視図である。紙葉体ディスペンサー１００の傾斜した部分（Ｂ）三角棚受け部をタオル掛け２００のバー２００ａと壁面との間に差し入れると、バー２００ａに当接し、紙葉体ディスペンサー１００の重量によってタオル掛け２００に係止される。又、収納部前面１１の取出し口はバー２００ａより上方にあるが、紙葉体ディスペンサー１００が壁面から離れるように動いても常に三角棚受け部がバー２００ａ及び壁面に反作用で押圧され、紙葉体ディスペンサー１００がタオル掛け２００から脱離し難い。
【００２６】
傾斜角θが４５度を超えると三角棚受部（Ｂ）の差し込みが浅くなり、壁面とバーによる係止力が小さくなり、紙葉体ディスペンサー１００が壁面から離れるように動いたときに紙葉体ディスペンサー１００がタオル掛け２００から脱離し易くなる。
【００２７】
傾斜角θが３０度未満となると、傾斜角θが鋭角となり過ぎるので、紙葉体ディスペンサー１００の厚さが薄くなり、収納する紙葉積層数が少なくなる。
【００２８】
図４は、紙葉体ディスペンサー１００をタオル掛け２００に係止した状態を示す側面図である。タオル掛け２００のバー２００ａと壁面３００との間隔Ｗｘは、通常３０〜７０ｍｍ程度であるため、紙葉体の短辺Ｔ方向での紙葉体ディスペンサー１００の幅Ｗを１００ｍｍ以下とすることで、紙葉体ディスペンサー１００が壁面３００とバー２００ａとの間で落下せずに係止する。又、幅Ｗを１００ｍｍ以下とすることで、紙葉体ディスペンサー１００がスリムとなって既存のタオル掛けにセットしても邪魔にならない。なお、幅Ｗは５０ｍｍ以上とすることが好ましい。
又、紙葉体収納部前面において、取出し口は収納部前面１１の中央よりも下方位置即ち収納部底面１６側に位置している。このようにすると、紙葉体ディスペンサー１００をタオル掛け２００に係止して使用する場合に、取出し口から紙葉体を引き抜く際に働く力Ｆ0に対して、分力Ｆ1，Ｆ2及びバー２００aを支点にＦ1及びＦ3のモーメント力が働く。ここで、Ｆ2は、紙葉体ディスペンサー１００をタオル掛けから外す方向に働くので、ディスペンサー本体の自重ｇがＦ2よりも大きい必要がある。例えば、紙葉を引き抜く力は30-100ｇｆ程度であり、Ｆ2は最大Ｆ0×COS45°であることから、ディスペンサーの自重は50〜70ｇ以上であれば良い。
【００２９】
次に、図５を参照して本発明の組立て容易な紙葉体ディスペンサー１００の展開図例について説明する。図５において、１１は紙葉体収納部（Ａ）前面であり、後面１２に対向する。１３及び１４は側面部であり、１４ｄの部分で１１に接着される。１５は蓋面であり、１５aは、１５を差込むフラップ部である。底面１６はフラップ部１６ａ及びフラップの罫線中央に設けられているスリット部１６ｓを有し、後面１２ａ及び１２ｂは折り重ねられ、１２ｂのフラップ部１２ｂｘ、１２ｂｙ、１２ｂｚのうち中央の１２ｂｙが底面１６のスリット部１６ｓに差し込まれ、１２ｂのフラップ部の１２ｂｘ、12ｂｚは外折りされて底面１６の外側に重なる。
【００３０】
本発明は上記実施形態に限定されず、本発明の思想と範囲に含まれる様々な変形及び均等物に及ぶことはいうまでもない。
【符号の説明】
【００３１】
１１                    収納部前面(取出し口面)
１２                    後面
１３、１４              側面
１５                    蓋面
１６                    収納部底面
２０                    取出し口  
５０                    積層体
５１〜５３              紙葉体
１００                  紙葉体ディスペンサー
Ｗ                      側面の幅
Ｗｘ                    タオル掛けバーと壁との間の間隔
Ｍ                      収納部前面の幅
Ｄ１、Ｄ２                取出し口外縁と収納部前面縁との間隔
【図１】
0005524902.tif 000002
【図２】
0005524902.tif 000003
【図３】
0005524902.tif 000004
【図４】
0005524902.tif 000005
【図５】
0005524902.tif 000006
【図６】
0005524902.tif 000007